(57)【要約】【課題】収納状態でカム溝からカムフォロアを離脱可能とすることでカム環の光軸方向長さのコンパクト化を図りつつ、該カム溝からの離脱位置にカムフォロアがある状態での遮光性や安定性にも優れたレンズ鏡筒のカムフォロア収納構造を提供する。【解決手段】撮影状態と撮影を行わない収納状態との間で動作可能なレンズ鏡筒において、周面にカム溝を有し回転するカム環；このカム環の後部に位置し、該カム環に対して相対回転可能で光軸方向位置が不変に結合された後方部材；及び、光学要素を保持し、カム溝に摺動可能に嵌るカムフォロアを有し、カム環の回転により光軸方向に移動される光学要素保持筒；を備え、カム溝はカム環の後端面に開口しており、後方部材は、該カム溝の後端開口部に対向する有底のフォロア収納凹部を有し、レンズ鏡筒の収納状態では、カムフォロアがカム溝の後端開口部から離脱してフォロア収納凹部内に位置される。【選択図】図１１
2010008745.tif 000002
【特許請求の範囲】
【請求項１】
撮影状態と撮影を行わない収納状態との間で動作可能なレンズ鏡筒において、
周面にカム溝を有し回転するカム環；
カム環の後部に位置し、該カム環に対して相対回転可能で光軸方向位置が不変に結合された後方部材；及び
光学要素を保持し、上記カム溝に摺動可能に嵌るカムフォロアを有し、カム環の回転により光軸方向に移動される光学要素保持筒；
を備え、
上記カム溝はカム環の後端面に開口していること；
上記後方部材は、該カム溝の後端開口部に対向する有底のフォロア収納凹部を有し、レンズ鏡筒の収納状態では、上記カムフォロアがカム溝の後端開口部から離脱してフォロア収納凹部内に位置すること；
を特徴とするレンズ鏡筒のカムフォロア収納構造。
【請求項２】
請求項１記載のレンズ鏡筒のカムフォロア収納構造において、上記撮影状態から収納状態になるまでの間のカム環の特定回転位置で、上記カム溝の後端開口部と上記有底のフォロア収納凹部の周方向位相が一致して連通されるレンズ鏡筒のカムフォロア収納構造。
【請求項３】
請求項１または２記載のレンズ鏡筒のカムフォロア収納構造において、カムフォロアが上記カム溝の後端開口部に位置するとき、該カム溝の後端開口部と上記有底のフォロア収納凹部の周方向位相が一致して連通されるレンズ鏡筒のカムフォロア収納構造。
【請求項４】
請求項１ないし３のいずれか１項記載のレンズ鏡筒のカムフォロア収納構造において、上記後方部材は、回転が規制され、上記光学要素保持筒とは別の光学要素保持部材を光軸方向に直進案内する直進案内環であるレンズ鏡筒のカムフォロア収納構造。
【請求項５】
請求項１ないし４のいずれか１項記載のレンズ鏡筒のカムフォロア収納構造において、上記カム環は、上記カム溝が形成される筒状部の後部に、該筒状部よりも大径で、上記後方部材のフォロア収納凹部と重なる光軸方向位置にある環状のギヤリング部を有し、
上記光学要素保持筒は、光軸方向後方に突出しその内径側に上記カムフォロアを突設させた後方突出部を有し、
上記ギヤリング部と上記後方部材に、レンズ鏡筒の収納状態で光学要素保持筒の後方突出部を進入させる進入許容部が形成されているレンズ鏡筒のカムフォロア収納構造。
【請求項６】
請求項５記載のレンズ鏡筒のカムフォロア収納構造において、上記後方部材は、上記進入許容部の後部を塞ぐ遮光壁を有しているレンズ鏡筒のカムフォロア収納構造。
【発明の詳細な説明】
【技術分野】
【０００１】
本発明は、レンズ鏡筒におけるカム機構のカムフォロア収納構造に関する。
【背景技術】
【０００２】
コンパクトカメラのレンズ鏡筒では、小型化、特に撮影を行わない収納時における光軸方向の薄型化が求められている。例えば、特許文献１では、カム環の光軸方向長さの増大を防ぎつつ、カム溝によって案内される直進部材の光軸方向移動量を大きくするための構成として、カム溝の端部をカム環の端面に開口させ、このカム溝開口から外れたカムフォロアと光軸方向位置が重なるように、カム環端部に大径で環状のギヤ部を設けている。例えば、レンズ鏡筒の収納状態で、カムフォロアとギヤ部の光軸方向位置が重なるようにすることで、これらの光軸方向位置を異ならせて配置するよりもカム環の光軸方向長さを短くすることができる。
【特許文献１】特開２００７−１１４５３０号公報
【発明の開示】
【発明が解決しようとする課題】
【０００３】
特許文献１の構成は、カム環の光軸方向長さを短くするには有効であるが、端部が開口されたカム溝は、端部が閉じられたカム溝に比べて遮光性が確保しにくいという問題がある。また、カムフォロアがカム溝から外れたとき、カムフォロアの位置が不安定になるおそれもある。
【０００４】
そこで本発明は、収納状態でカム溝からカムフォロアを離脱可能とすることでカム環の光軸方向長さのコンパクト化を図りつつ、該カム溝からの離脱位置にカムフォロアがある状態での遮光性や安定性にも優れたレンズ鏡筒のカムフォロア収納構造を提供することを目的とする。
【課題を解決するための手段】
【０００５】
本発明は、レンズ鏡筒においてカム環の後部に、カム溝によって移動制御される被駆動部材を直進案内する直進案内環などの後方部材が結合されていることに着目してなされたものである。すなわち本発明は、撮影状態と撮影を行わない収納状態との間で動作可能なレンズ鏡筒において、周面にカム溝を有し回転するカム環；このカム環の後部に位置し、該カム環に対して相対回転可能で光軸方向位置が不変に結合された後方部材；及び、光学要素を保持し、カム溝に摺動可能に嵌るカムフォロアを有し、カム環の回転により光軸方向に移動される光学要素保持筒；を備え、カム溝はカム環の後端面に開口していること；後方部材は、該カム溝の後端開口部に対向する有底のフォロア収納凹部を有し、レンズ鏡筒の収納状態では、カムフォロアがカム溝の後端開口部から離脱してフォロア収納凹部内に位置すること；を特徴としている。
【０００６】
カム溝の後端開口部と上記有底のフォロア収納凹部は、撮影状態から収納状態になるまでの間のカム環の特定回転位置で、互いの周方向位相が一致して連通されるようにするとよい。より詳しくは、カムフォロアがカム溝の後端開口部に位置するときに、カム溝の後端開口部と有底のフォロア収納凹部の周方向位相が一致して連通されるようにするとよい。
【０００７】
カム環に結合される後方部材は、例えば、回転が規制され、前述の光学要素保持筒とは別の光学要素保持部材を光軸方向に直進案内する直進案内環とすることができる。
【０００８】
カム環は、カム溝が形成される筒状部の後部に、該筒状部よりも大径で、かつ後方部材のフォロア収納凹部と重なる光軸方向位置にある環状のギヤリング部を有し、光学要素保持筒は、光軸方向後方に突出しその内径側にカムフォロアを突設させた後方突出部を有し、カム環のギヤリング部と後方部材に、レンズ鏡筒の収納状態で光学要素保持筒の後方突出部を進入させる進入許容部を形成することで、鏡筒収納時のスペース効率をさらに向上させることができる。この場合、後方部材には、後方突出部の進入許容部の後部を塞ぐ遮光壁を形成することが好ましい。
【発明の効果】
【０００９】
以上の本発明によれば、レンズ鏡筒の収納時にカム溝からカムフォロアが離脱した状態で、該カムフォロアが後方部材に形成した有底のフォロア収納凹部内に位置されるので、カムフォロア周りの漏光が生じにくく、またカムフォロアに対する支持安定性も確保される。よって、カム環のコンパクト化を図りつつ、収納状態での遮光性や安定性にも優れたレンズ鏡筒のカムフォロア収納構造が得られる。
【発明を実施するための最良の形態】
【００１０】
図１から図４を参照して、本発明によるカムフォロア収納構造を備えたズームレンズ鏡筒７０の概略構造を説明する。このズームレンズ鏡筒７０の撮像光学系は、物体（被写体）側から順に第１レンズ群ＬＧ１、第２レンズ群ＬＧ２、絞り兼用のシャッタＳ、第３レンズ群ＬＧ３、ローパスフィルタ２５及び撮像素子７１を備えており、以下の説明中で光軸方向とは、この撮影光学系の光軸Ｏと平行な方向を意味する。
【００１１】
ローパスフィルタ２５と撮像素子７１はユニット化されて撮像素子ホルダ２３に固定され、撮像素子ホルダ２３がハウジング２２の後部に固定される。ハウジング２２の外側には、ズームモータ１５０とＡＦモータ１６０が支持されている。
【００１２】
第３レンズ群ＬＧ３を保持する３群レンズ枠５１は、ハウジング２２に対して光軸方向に移動可能に支持されていて、ＡＦモータ１６０によって駆動される。
【００１３】
ハウジング２２の内側にはカム環１１が支持されている。カム環１１は、ズームモータ１５０の駆動力によって回転され、鏡筒収納状態（図３）から撮影状態（図４）になるまでの間は、回転しながら光軸方向に移動し、撮影状態におけるズーム域（図４上半のワイド端と図４下半のテレ端の間）では、光軸方向には定位置で回転される。
【００１４】
カム環１１を挟んで第１繰出筒１３と直進案内環１０が支持されている。第１繰出筒１３と直進案内環１０はそれぞれハウジング２２に対して光軸方向に直進案内されており、かつカム環１１に対しては、相対回転は可能で光軸方向に共に移動するように結合されている。
【００１５】
直進案内環１０は、２群レンズ移動枠８を光軸方向へ相対移動可能に直進案内している。２群レンズ移動枠８の内部には、第２レンズ群ＬＧ２を保持する２群レンズ保持枠２、シャッタＳを保持するシャッタブロック１００が支持されている。また、ハウジング２２に対して光軸方向に直進案内された第１繰出筒１３はさらに、第２繰出筒１２を光軸方向へ相対移動可能に直進案内している。第２繰出筒１２の内部には、１群レンズ保持枠１を介して第１レンズ群ＬＧ１が支持されている。
【００１６】
第２繰出筒１２は内径方向に突出する１群用カムフォロアＣＦ１を有し、この１群用カムフォロアＣＦ１が、カム環１１の外周面に形成した１群制御カム溝ＣＧ１に摺動可能に嵌合している。第２繰出筒１２は第１繰出筒１３を介して光軸方向に直進案内されているため、カム環１１が回転すると、１群制御カム溝ＣＧ１の形状に従って、第２繰出筒１２すなわち第１レンズ群ＬＧ１が光軸方向へ所定の軌跡で移動する。
【００１７】
カム環１１の内周面に形成した２群制御カム溝ＣＧ２に対し、２群レンズ移動枠８の外周面に設けた２群用カムフォロアＣＦ２が係合している。２群レンズ移動枠８は直進案内環１０を介して光軸方向に直進案内されているため、カム環１１が回転すると、２群制御カム溝ＣＧ２の形状に従って、２群レンズ移動枠８すなわち第２レンズ群ＬＧ２が光軸方向へ所定の軌跡で移動する。
【００１８】
２群レンズ移動枠８と第２繰出筒１２の間には、圧縮ばねからなる群間付勢ばね２７が挿入されており、２群レンズ移動枠８と第２繰出筒１２は互いに離間する方向に付勢されている。
【００１９】
以上の構造からなるズームレンズ鏡筒７０は次のように動作する。図１及び図３に示す鏡筒収納状態では、図２及び図４に示す撮影状態よりも光軸方向の光学系の長さ（第１レンズ群ＬＧ１の物体側の面から撮像素子７１の撮像面までの距離）が短くなっている。この鏡筒収納状態において撮影状態への移行信号（例えば、ズームレンズ鏡筒７０が搭載されるカメラに設けたメインスイッチのオン）が入力されると、ズームモータ１５０が鏡筒繰出方向に駆動され、カム環１１が回転しながら光軸方向前方へ繰り出される。直進案内環１０と第１繰出筒１３は、カム環１１と共に前方に直進移動する。カム環１１が回転すると、その内側では、直進案内環１０を介して直進案内された２群レンズ移動枠８が、２群用カムフォロアＣＦ２と２群制御カム溝ＣＧ２の関係によって光軸方向に所定の軌跡で移動される。また、カム環１１が回転すると、該カム環１１の外側では、第１繰出筒１３を介して直進案内された第２繰出筒１２が、１群用カムフォロアＣＦ１と１群制御カム溝ＣＧ１の関係によって光軸方向に所定の軌跡で移動される。
【００２０】
すなわち、鏡筒収納状態からの第１レンズ群ＬＧ１と第２レンズ群ＬＧ２の繰出量はそれぞれ、前者が、ハウジング２２に対するカム環１１の前方移動量と、該カム環１１に対する第２繰出筒１２のカム繰出量との合算値として決まり、後者が、ハウジング２２に対するカム環１１の前方移動量と、該カム環１１に対する２群レンズ移動枠８のカム繰出量との合算値として決まる。ズーミングは、この第１レンズ群ＬＧ１と第２レンズ群ＬＧ２が互いの空気間隔を変化させながら撮影光軸Ｏに沿って移動することにより行われる。収納状態から鏡筒繰出を行うと、まず図４の上半断面に示すワイド端の繰出状態になり、さらにズームモータ１５０を鏡筒繰出方向に駆動させると、図４の下半断面に示すテレ端の繰出状態となる。テレ端とワイド端の間のズーム領域では、カム環１１は前述の定位置回転を行い、光軸方向へは進退しない。収納状態への移行信号（例えば、カメラのメインスイッチのオフ）が入力されると、ズームモータ１５０が鏡筒収納方向に駆動され、ズームレンズ鏡筒７０は以上の繰出動作とは逆の収納動作を行う。
【００２１】
また、第２繰出筒１２の前端部には、第１レンズ群ＬＧ１の前方を開閉可能なバリヤ羽根１０４が設けられており、鏡筒収納状態ではバリヤ羽根１０４が閉じており、撮影状態への繰り出し動作に応じてバリヤ羽根１０４が開かれる。
【００２２】
第３レンズ群ＬＧ３を支持する３群レンズ枠５１は、以上のズームモータ１５０による第１レンズ群ＬＧ１及び第２レンズ群ＬＧ２の駆動とは独立して、ＡＦモータ１６０によって光軸方向に前後移動させることができる。そして、光学系がワイド端からテレ端までのズーム域にあるとき、測距手段によって得られた被写体距離情報に応じてＡＦモータ１６０を駆動することにより、第３レンズ群ＬＧ３が光軸方向に移動してフォーカシングが実行される。
【００２３】
前述の通り、第１レンズ群ＬＧ１を保持する第２繰出筒（光学要素保持筒）１２と、第２レンズ群ＬＧ２を保持する２群レンズ移動枠（別の光学要素保持部材）８はそれぞれ、光軸方向に直進案内され、カム環１１の１群制御カム溝ＣＧ１と２群制御カム溝ＣＧ２に案内されて光軸方向位置が制御される。
【００２４】
これらのレンズ群保持部材に対する直進案内構造の詳細は次のようになっている。図５及び図７に示すように、直進案内環（後方部材）１０は、撮影光軸Ｏを中心とする環状の後端リング状部１０ａと、後端リング状部１０ａから外径方向に突出する３つのガイド突起１０ｂと、後端リング状部１０ａから前方に延出された、撮影光軸Ｏを中心とする短い筒状をなす短筒部１０ｃと、短筒部１０ｃの前縁部に周方向に間欠的に設けた複数の回転案内爪１０ｄと、短筒部１０ｃから前方に突出された３つの直進ガイドキー１０ｅを有している。３つのガイド突起１０ｂはそれぞれ、ハウジング２２の内周面に形成した、撮影光軸Ｏと平行な直進案内溝２２ａ（図３、図４、図１３）に対して摺動可能に嵌っており、これにより直進案内環１０が光軸方向に直進案内されている。また、３つの直進ガイドキー１０ｅはそれぞれ、２群レンズ移動枠８に形成した撮影光軸Ｏと平行な直進案内溝８ａ（図４）に対して摺動可能に嵌っており、これにより２群レンズ移動枠８が光軸方向に直進案内されている。
【００２５】
図５及び図８に示すように、第１繰出筒１３は、光軸方向の後端部に外径方向へ突出する３つのガイド突起１３ａを有し、内周面には撮影光軸Ｏと平行な３本の直進案内溝１３ｂが形成されている。第１繰出筒１３の内周面にはまた、光軸方向の後端付近に位置させて、撮影光軸Ｏを中心とする周方向へ間欠的に回転案内爪１３ｃが設けられている。３つのガイド突起１３ａはそれぞれ、ハウジング２２の内周面に形成した直進案内溝２２ａに対して摺動可能に嵌っており、これにより第１繰出筒１３が光軸方向に直進案内されている。なお、ここでは、直進案内環１０のガイド突起１０ｂと、第１繰出筒１３のガイド突起１３ａが、共通の直進案内溝２２ａ内に位置するものとしているが、ガイド突起１０ｂとガイド突起１３ａを案内する直進案内溝をハウジング２２の内周面上に別々に形成してもよい。また、第１繰出筒１３の３つの直進案内溝１３ｂに対して、第２繰出筒１２の３つの後方突出部１２ａに設けたガイドキー１２ｂ（図５、図９）がそれぞれ摺動可能に嵌っており、これにより第２繰出筒１２が光軸方向に直進案内されている。後方突出部１２ａは、第２繰出筒１２の筒状部１２ｃから光軸方向後方に突出された部位であり、図１３に示すように、後方突出部１２ａに１群用カムフォロアＣＦ１の基部が埋設固定され、該後方突出部１２ａから第２繰出筒１２の内径方向へ向けて１群用カムフォロアＣＦ１が突設されている。
【００２６】
続いて、カム環１１の詳細構造を説明する。図５及び図６に示すように、カム環１１は、１群制御カム溝ＣＧ１と２群制御カム溝ＣＧ２をそれぞれ外周面と内周面に有する筒状部１１ａと、この筒状部１１ａの光軸方向の後端部に設けたギヤリング部１１ｂとを有している。ギヤリング部１１ｂ上にガイド突起１１ｃが突設されている。ギヤリング部１１ｂは、ズームモータ１５０によって回転されるズームギヤ（不図示）に噛合しており、ガイド突起１１ｃは、ハウジング２２の内周面に形成したカム環ガイド溝２２ｂ（図３、図４、図１３）に対して摺動可能に係合している。カム環ガイド溝２２ｂは、光軸方向後方の螺旋溝部分と、光軸方向前方の撮影光軸Ｏを中心とする環状溝部分とを有し、鏡筒収納状態と撮影状態（ワイド端）の間では、ガイド突起１１ｃがカム環ガイド溝２２ｂの螺旋溝部分に案内されて、カム環１１はハウジング２２に対して回転しながら光軸方向に移動する。具体的には、カム環１１は、鏡筒収納状態から撮影状態になるときに、回転しながら光軸方向前方（物体側）へ進出し、撮影状態から鏡筒収納状態になるときには逆に、回転しながら光軸方向後方へ後退する。また、ワイド端からテレ端までのズーム域では、ガイド突起１１ｃがカム環ガイド溝２２ｂの環状溝部分に案内されて、カム環１１はハウジング２２に対する光軸方向位置を変化させず、光軸方向の定位置で回転される。
【００２７】
図１２に示すように、カム環１１のギヤリング部１１ｂは、筒状部１１ａよりも大径で、筒状部１１ａの外周面よりも外径方向へ突出している。筒状部１１ａの外周面上には、ギヤリング部１１ｂの前部に該ギヤリング部１１ｂよりも低い段部１１ｄが設けられ、この段部１１ｄ上に、撮影光軸Ｏを中心とする周方向へ間欠的に複数の回転案内爪１１ｅが形成されている。段部１１ｄは、周方向に略等間隔で３箇所設けられている。図１２に示すように、カム環１１のギヤリング部１１ｂと回転案内爪１１ｅの間に、第１繰出筒１３の回転案内爪１３ｃが係合しており、この爪係合関係により、カム環１１と第１繰出筒１３は、相対回転が可能で、光軸方向の相対位置は不変に結合されている。
【００２８】
また、図１２に示すように、カム環１１のギヤリング部１１ｂは、筒状部１１ａよりも光軸方向後方に突出した位置にあり、ギヤリング部１１ｂの内周面には、筒状部１１ａの後端面に対向する位置に回転案内爪１１ｆが形成されている。図５にその一部を表すように、回転案内爪１１ｆは、撮影光軸Ｏを中心とする周方向へ間欠的に複数個設けられている。このカム環１１の回転案内爪１１ｆと筒状部１１ａの後端面の間に、直進案内環１０ｂの回転案内爪１０ｄが係合しており、この爪係合関係により、カム環１１と直進案内環１０は、相対回転が可能で、光軸方向の相対位置は不変に結合されている。
【００２９】
図６に示すように、１群制御カム溝ＣＧ１は、カム環１１の筒状部１１ａの外周面上に、周方向へ略等間隔で３つ設けられている。同図のＲ、Ｗ、Ｔはそれぞれ、ズームレンズ鏡筒７０の収納状態（図３）、ワイド端（図４の上半）、テレ端（図４の下半）における、１群用カムフォロアＣＦ１の位置を示している。それぞれの１群制御カム溝ＣＧ１の光軸方向後端部分は、段部１１ｄの間のスペースに延びて、筒状部１１ａの後端面に後端開口ＣＧ１-Ｑとして開口されており、鏡筒収納状態では、この後端開口ＣＧ１-Ｑを通して１群制御カム溝ＣＧ１の外側（後方）に１群用カムフォロアＣＦ１が離脱される。後端開口ＣＧ１-Ｑは、１群制御カム溝ＣＧ１の溝幅よりも広い開口幅を有しており、１群用カムフォロアＣＦ１の収納時位置Ｒは、この後端開口ＣＧ１-Ｑから周方向に若干ずれた位置にある。つまり、鏡筒収納動作時におけるカム環１１は、１群制御カム溝ＣＧ１の後端開口ＣＧ１-Ｑから１群用カムフォロアＣＦ１が離脱した後、さらに少量回転して停止される。１群用カムフォロアＣＦ１には、第２繰出筒１２を介して、群間付勢ばね２７による光軸方向前方への付勢力が作用している。そして、収納状態からカム環１１を繰出方向に回転させて、１群用カムフォロアＣＦ１が後端開口ＣＧ１-Ｑに対応する周方向位置に至ると、この付勢力によって１群用カムフォロアＣＦ１が１群制御カム溝ＣＧ１内へスムーズに進入する。
【００３０】
図１３のように、鏡筒収納時に１群制御カム溝ＣＧ１から離脱した１群用カムフォロアＣＦ１が位置するのは、カム環１１におけるギヤリング部１１ｂの内側空間である。言い換えれば、カム環１１の後端部分では、ギヤリング部１１ｂの形成部位と、１群用カムフォロアＣＦ１の収納時位置Ｒとが、互いに光軸方向の同じ位置にある（同一の光軸直交平面内に位置する）。これにより、光軸方向のスペース効率が向上し、１群用カムフォロアＣＦ１に対する位置制御機能を損なうことなく、カム環１１の光軸方向のコンパクト化が達成される。但し、図１２に示すように、カム環１１の筒状部１１ａの後方には、ギヤリング部１１ｂに加えて直進案内環１０が存在しており、１群制御カム溝ＣＧ１から後方へ１群用カムフォロアＣＦ１を離脱させる際に、直進案内環１０のような後方部材との干渉が生じてはならない。
【００３１】
図１０に示すように、カム環１１のギヤリング部１１ｂの内径部分には、段部１１ｄの間の周方向領域に対応させて、すなわち１群制御カム溝ＣＧ１の後端開口ＣＧ１-Ｑの後方に位置させて、切欠部（進入許容部）１１ｇが形成されている。図１０では１箇所の切欠部１１ｇを代表して示しているが、３つの段部１１ｄのそれぞれの間に同様の切欠部１１ｇが設けられている。３つの１群用カムフォロアＣＦ１がそれぞれ対応する１群制御カム溝ＣＧ１から離脱する際には、該１群用カムフォロアＣＦ１の基部を支持する第２繰出筒１２の後方突出部１２ａが切欠部１１ｇに進入することにより、ギヤリング部１１ｂとの干渉が回避される（図１３）。なお、図１３に示すように、切欠部１１ｇには、後方突出部１２ａよりも肉厚が大きい（外径方向への突出量が大きい）ガイドキー１２ｂの一部も進入され、切欠部１１ｇは、このガイドキー１２ｂとの干渉が生じないだけの径方向幅（開口径）を有している。しかし、ガイドキー１２ｂが進入しない切欠部１１ｇの内方（光軸方向後方）領域では、カム環１１の強度確保のために、内径方向へ突出する凸状部１１ｈが形成されてギヤリング部１１ｂの肉厚が大きくなっている。
【００３２】
また、図１１に示すように、直進案内環１０には、短筒部１０ｃの前端部に開口させてフォロア収納凹部１０ｆが形成されている。フォロア収納凹部１０ｆの形成領域では、回転案内爪１０ｄも切除されている。フォロア収納凹部１０ｆは、内径側の底部が閉じられた有底の凹部であり、１群用カムフォロアＣＦ１に対応した断面形状になっている。図７に示すように、フォロア収納凹部１０ｆは周方向に略等間隔で３つ形成されている。直進案内環１０に対するカム環１１の相対回転によって、フォロア収納凹部１０ｆと１群用カムフォロアＣＦ１の相対位置は変化するが、それぞれのフォロア収納凹部１０ｆは、鏡筒収納動作に際して１群用カムフォロアＣＦ１が１群制御カム溝ＣＧ１の後端開口ＣＧ１-Ｑの位置まで後退したときに、後端開口ＣＧ１-Ｑと周方向位置が一致して光軸方向に連通するように、その位置が設定されている。これにより、後端開口ＣＧ１-Ｑを通して１群制御カム溝ＣＧ１から離脱した１群用カムフォロアＣＦ１は、引き続いてフォロア収納凹部１０ｆに進入される。前述したように、鏡筒収納動作の最終段階では、１群用カムフォロアＣＦ１が離脱してからカム環１１がさらに若干量回転されるが、このとき１群用カムフォロアＣＦ１はフォロア収納凹部１０ｆ内に位置していて回転力が伝達されず、カム環１１が単独で回転した結果として、１群用カムフォロアＣＦ１が図６の収納時位置Ｒに達する。
【００３３】
フォロア収納凹部１０ｆの後部は、後端リング状部１０ａを光軸方向に貫通することなく、後方壁面１０ｇによって閉じられており、この後方壁面１０ｇの上方には、後端リング状部１０ａを切り欠いて後方凹部（進入許容部）１０ｈが形成されている。後方凹部１０ｈは、第２繰出筒１２の後方突出部１２ａの後端部が進入可能な形状をしており、後方凹部１０ｈの後部は、遮光壁１０ｉによって塞がれている。１群用カムフォロアＣＦ１が１群制御カム溝ＣＧ１から離脱してフォロア収納凹部１０ｆに入るとき、前述のように、第２繰出筒１２の後方突出部１２ａはカム環１１の切欠部１１ｇに進入するが、後方突出部１２ａの後端部はさらに、該切欠部１１ｇよりも後方に突出して、直進案内環１０の後方凹部１０ｈに進入する（図１３参照）。
【００３４】
以上のように、鏡筒収納状態で１群制御カム溝ＣＧ１から後方に離脱された１群用カムフォロアＣＦ１は、単にカム環１１のギヤリング部１１ｂの内径側に位置するのみならず、直進案内環１０のフォロア収納凹部１０ｆ内に進入した状態で保持される。図１１や図１３から分かるように、フォロア収納凹部１０ｆは内径側が塞がれた有底凹部であって、かつその後部が後方壁面１０ｇによって閉じられている。そのため、鏡筒収納状態では、フォロア収納凹部１０ｆが、１群制御カム溝ＣＧ１に続く閉じられたカム溝後端部と同様に機能し、１群用カムフォロアＣＦ１周りでの光漏れが生じにくくなっている。また、鏡筒収納状態では、フォロア収納凹部１０ｆによって、１群制御カム溝ＣＧ１から後方に離脱された１群用カムフォロアＣＦ１を安定保持することができ、カム溝からの離脱後にカムフォロアが支持されない態様に比べて、１群用カムフォロアＣＦ１に対する支持安定性の点でも優れている。つまり、１群制御カム溝ＣＧ１の後端を開口させてカム環１１を光軸方向にコンパクトに構成したことに加えて、１群制御カム溝ＣＧ１から離脱した１群用カムフォロアＣＦ１を収納する部分（フォロア収納凹部１０ｆ）を直進案内環１０に設けたことによって、１群用カムフォロアＣＦ１との干渉防止、遮光性向上、１群用カムフォロアＣＦ１の支持安定性の向上、といった複合的な作用が得られる。
【００３５】
本実施形態ではさらに、鏡筒収納時に、１群用カムフォロアＣＦ１を支持する第２繰出筒１２の後方突出部１２ａの進入を許す進入許容部として、カム環１１のギヤリング部１１ｂに切欠部１１ｇを形成し、直進案内環１０には後方凹部１０ｈを形成している。これにより、１群用カムフォロアＣＦ１のみならず、後方突出部１２ａに対しても、干渉を生じることなくスペース効率に優れた収納が達成されている。なお、フォロア収納凹部１０ｆと同様に、後方凹部１０ｈの後方は遮光壁１０ｉによって塞がれているため、この部分から撮像素子７１側への有害な漏光を防ぐことができる。
【００３６】
以上、図示実施形態に基づき本発明を説明したが、本発明はこの実施形態に限定されるものではなく、発明の要旨を逸脱しない限りにおいての変更、改良が可能である。
【図面の簡単な説明】
【００３７】
【図１】本発明を適用したズームレンズ鏡筒の収納状態の外観斜視図である。
【図２】同ズームレンズ鏡筒の撮影状態の外観斜視図である。
【図３】同ズームレンズ鏡筒の収納状態の断面図である。
【図４】同ズームレンズ鏡筒の撮影状態の断面図である。
【図５】直進案内環、カム環、第１繰出筒及び第２繰出筒の分解斜視図である。
【図６】カム環の展開平面図である。
【図７】直進案内環の展開平面図である。
【図８】第１繰出筒の展開平面図である。
【図９】第２繰出筒の展開平面図である。
【図１０】カム環の後端部付近を拡大した斜視図である。
【図１１】直進案内環に形成したフォロア収納凹部付近と１群用カムフォロアの関係を示す斜視図である。
【図１２】カム環、直進案内環及び第１繰出筒の関係を示す断面図である。
【図１３】鏡筒収納状態における１群用カムフォロアの収納構造を部分的に示した断面図である。
【符号の説明】
【００３８】
１  １群レンズ保持枠
２  ２群レンズ保持枠
８  ２群レンズ移動枠（別の光学要素保持部材）
１０  直進案内環（後方部材）
１０ａ  後端リング状部
１０ｂ  ガイド突起
１０ｃ  短筒部
１０ｄ  回転案内爪
１０ｅ  直進ガイドキー
１０ｆ  フォロア収納凹部
１０ｇ  後方壁面
１０ｈ  後方凹部（進入許容部）
１０ｉ  遮光壁
１１  カム環
１１ａ  筒状部
１１ｂ  ギヤリング部
１１ｃ  ガイド突起
１１ｄ  段部
１１ｅ  １１ｆ  回転案内爪
１１ｇ  切欠部（進入許容部）
１１ｈ  凸状部
１２  第２繰出筒（光学要素保持筒）
１２ａ  後方突出部
１２ｂ  ガイドキー
１３  第１繰出筒
１３ａ  ガイド突起
１３ｂ  直進案内溝
１３ｃ  回転案内爪
２２  ハウジング
２２ａ  直進案内溝
２２ｂ  カム環ガイド溝
２３  撮像素子ホルダ
５１  ３群レンズ枠
７０  ズームレンズ鏡筒
７１  撮像素子
１００  シャッタブロック
１５０  ズームモータ
１６０  ＡＦモータ
ＣＦ１  １群用カムフォロア
ＣＦ２  ２群用カムフォロア
ＣＧ１  １群制御カム溝
ＣＧ１-Ｑ  １群制御カム溝の後端開口
ＣＧ２  ２群制御カム溝
ＬＧ１  第１レンズ群
ＬＧ２  第２レンズ群
ＬＧ３  第３レンズ群
Ｏ  撮影光学系の光軸
Ｓ  シャッタ
【図１】
2010008745.tif 000003
【図２】
2010008745.tif 000004
【図３】
2010008745.tif 000005
【図４】
2010008745.tif 000006
【図５】
2010008745.tif 000007
【図６】
2010008745.tif 000008
【図７】
2010008745.tif 000009
【図８】
2010008745.tif 000010
【図９】
2010008745.tif 000011
【図１０】
2010008745.tif 000012
【図１１】
2010008745.tif 000013
【図１２】
2010008745.tif 000014
【図１３】
2010008745.tif 000015